(57)【要約】【課題】裸眼３Ｄ表示システムの液晶表示装置用バックライトとして用いたときに、クロストークを効果的に低減可能な面状照明装置を提供する。【解決手段】面状照明装置１０は、導光板１２と、導光板１２の入光面１３、１５に沿って配置される光源１７、１８とを備えるサイドライト型の面状照明装置において、導光板１２の出射面１９側に配置される両面プリズムシート１４と、導光板１２の出射面１９と対向する裏面２０側に配置される光学部材１６とを備えており、この光学部材１６は、光学部材１６に入射した光の反射を防止するための光吸収部材を含んでいる。【選択図】図１
2012221789.tif 000002
【特許請求の範囲】
【請求項１】
導光板と、該導光板の入光面に沿って配置される光源とを備えるサイドライト型の面状照明装置において、前記導光板の出射面側に配置される両面プリズムシートと、前記導光板の出射面と対向する裏面側に配置される光学部材とを備えており、前記光学部材は、該光学部材に入射した光の反射を防止するための光吸収部材を含むことを特徴とする面状照明装置。
【請求項２】
前記光学部材の反射率は、５０％以下であることを特徴とする請求項１に記載の面状照明装置。
【請求項３】
前記光学部材の反射率は、３０％以下であることを特徴とする請求項２に記載の面状照明装置。
【請求項４】
前記導光板の入光面には、前記光源に対向する該光源の外形幅よりも狭幅の領域を除いて、光吸収部材が配置されることを特徴とする請求項１から３のいずれか１項に記載の面状照明装置。
【請求項５】
前記導光板を収容するハウジングフレームをさらに備え、該ハウジングフレームは、黒色樹脂を用いて成形されることを特徴とする請求項１から４のいずれか１項に記載の面状照明装置。
【請求項６】
前記導光板を収容するハウジングフレームをさらに備え、該ハウジングフレームの内周面に、光吸収部材が配置されることを特徴とする請求項１から４のいずれか１項に記載の面状照明装置。
【請求項７】
前記光源はフレキシブルプリント基板上に実装され、該フレキシブルプリント基板の表面に、光吸収部材が配置されることを特徴とする請求項１から６のいずれか１項に記載の面状照明装置。
【発明の詳細な説明】
【技術分野】
【０００１】
本発明は、液晶表示装置のバックライト、特に、裸眼３Ｄ表示システムに用いられる液晶表示装置用のバックライトとして好適な面状照明装置に関する。
【背景技術】
【０００２】
近年、観察者が、眼鏡等の専用の器具を使用することなく、立体（３Ｄ）画像を視認することが可能な裸眼３Ｄ表示システムが注目されている。従来、このような裸眼３Ｄ表示システムにおいて、液晶表示装置に表示される左眼用画像及び右眼用画像を、バックライトからの照明光の配光制御によって、それぞれ左眼のみ及び右眼のみに供給し、それによって、裸眼３Ｄ表示を実現する技術が提案されている（例えば、特許文献１参照）。
【０００３】
特許文献１に記載の表示装置１１０は、図６（ａ）に示すように、液晶ディスプレイパネル１２０、液晶ディスプレイパネル１２０に光を供給するバックライト１３０、液晶ディスプレイパネル１２０とバックライト１３０との間に配置された両面プリズムフィルム１４０を含む。バックライト１３０は、導光板１２５と、導光板１２５の第１の光入力面１３１に配置された右眼用画像固体光源１３２と、第２の光入力面１３３に配置された左眼用画像固体光源１３４を含む。さらに、図示は省略するが、通常、導光板１２５の裏面１３６側には、漏れ光を反射して導光板１２５に戻すための反射部材が配置されている。
【０００４】
また、両面プリズムフィルム１４０は、導光板１２５の光出力面１３５側の面に、第１、第２の光入力面１３１、１３３と略平行に延びる三角プリズム列を備え、ディスプレイパネル１２０側の面に、第１、第２の光入力面１３１、１３３と略平行に延びる円筒レンズ列を備えており、この構成をもって、第１の光入力面１３１から導光板１２５に入射して光出力面１３５から出射した光の方向を、観察者の右眼１０１ｂ方向に変換し、第２の光入力面１３３から導光板１２５に入射して光出力面１３５から出射した光の方向を、観察者の左眼１０１ａ方向に変換するように機能する。
【０００５】
そして、表示システム１１０は、ディスプレイパネル１２０に右眼用画像と左眼用画像を交互に表示するとともに、右眼用画像の表示時には、右眼用画像固体光源１３２を点灯（同時に、左眼用画像固体光源１３４を消灯）し、左眼用画像の表示時には、左眼用画像固体光源１３４を点灯（同時に、左眼用画像固体光源１３４を消灯）することによって、観察者の右眼１０１ｂ及び左眼１０１ａに、それぞれ右眼用画像及び左眼用画像を選択的に供給するものである。
尚、表示システム１１０は、このような動作を可能にするための同期駆動素子１５０及び画像ソース１６０を備えている。
【０００６】
ここで、裸眼３Ｄ表示システムには、一般に、右眼用画像と左眼用画像の分離が完全には行われず、右眼用画像がある程度の明るさで観察者の左眼に供給され、また、左眼用画像がある程度の明るさで観察者の右眼に供給されるといった、所謂クロストークの問題があることが知られている。
【０００７】
例えば、表示システム１１０のような裸眼３Ｄ表示システムでは、右眼用画像固体光源１３２から第１の光入力面１３１を通じて導光板１２５に入射した光の一部のが、光出力面１３５から出射されないまま第２の光入力面１３３に到達し、そこで反射された後に光出力面１３５から出射されることによって、その出射方向が、観察者の左眼１０１ａ方向に変換されること（及び、左眼用画像固体光源１３４から第２の光入力面１３３を通じて導光板１２５に入射した光についての対称な事象）が、このようなクロストークの一因として挙げられる。
【０００８】
そこで、特許文献１では、図６（ｂ）に示すように、第２の光入力面１３３に反射防止機構１３７を形成し、これによって、右眼用画像固体光源１３２から第１の光入光面１３１を通じて導光板１２５に入射した光の、第２の光入光面１３２での反射を防止することにより、クロストークの低減が図られている。尚、この際、左眼用画像固体光源１３４からの光は、反射防止機構１３７が形成されていない入力開口部１３８を通じて、導光板１２５に入射し、第１の光入力面１３１にも、同様の反射防止機構及び入力開口部が形成される。
【先行技術文献】
【特許文献】
【０００９】
【特許文献１】特開２０１０−５２８３２６号公報
【発明の概要】
【発明が解決しようとする課題】
【００１０】
しかしながら、裸眼３Ｄ表示システムにおいて、クロストークを低減することは、画像の表示品質を向上させるために重要な課題であり、その更なる改善が強く望まれている。
【００１１】
本発明は、上記課題に鑑み、裸眼３Ｄ表示システムの液晶表示装置用バックライトとして用いたときに、クロストークを効果的に低減可能な面状照明装置を提供することを目的とする。
【課題を解決するための手段】
【００１２】
本発明者らは、上記課題を解決すべく鋭意研究を重ねた結果、導光板の裏面フィルム（反射部材）からの反射光に、クロストークを増大させる成分が多く含まれるという知見を得た。本発明は、このような新たな知見に基づいて完成されたものである。
【００１３】
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、さらに他の構成要素を付加したものについても、本願発明の技術的範囲に含まれ得るものである。
【００１４】
（１）導光板と、該導光板の入光面に沿って配置される光源とを備えるサイドライト型の面状照明装置において、前記導光板の出射面側に配置される両面プリズムシートと、前記導光板の出射面と対向する裏面側に配置される光学部材とを備えており、前記光学部材は、該光学部材に入射した光の反射を防止するための光吸収部材を含むことを特徴とする面状照明装置（請求項１）。
【００１５】
本項に記載の面状照明装置において、光学部材は、その全体が光吸収部材からなるものであってもよい。あるいは、光の一部を反射し、かつ、一部を透過させるように構成された反射率制御部材と、光吸収部材との２層構造からなるものであってもよく、または、反射率制御部材と、光吸収部材と、それらの部材の間の接着層もしくは粘着層の３層構造からなるものであってもよい。
【００１６】
（２）（１）項に記載の面状照明装置において、前記光学部材の反射率は、５０％以下であることを特徴とする面状照明装置（請求項２）。
【００１７】
（３）（２）項に記載の面状照明装置において、前記光学部材の反射率は、３０％以下であることを特徴とする面状照明装置（請求項３）。
【００１８】
（４）（１）から（３）のいずれか一項に記載の面状照明装置において、前記導光板の入光面には、前記光源に対向する該光源の外形幅よりも狭幅の領域を除いて、光吸収部材が配置されることを特徴とする面状照明装置（請求項４）。
【００１９】
（５）（１）から（４）のいずれか一項に記載の面状照明装置において、前記導光板を収容するハウジングフレームをさらに備え、該ハウジングフレームは、黒色樹脂を用いて成形されることを特徴とする面状照明装置（請求項５）。
【００２０】
（６）（１）から（４）のいずれか一項に記載の面状照明装置において、前記導光板を収容するハウジングフレームをさらに備え、該ハウジングフレームの内周面に、光吸収部材が配置されることを特徴とする面状照明装置（請求項６）。
【００２１】
（７）（１）から（６）のいずれか一項に記載の面状照明装置において、前記光源はフレキシブルプリント基板上に実装され、該フレキシブルプリント基板の表面に、光吸収部材が配置されることを特徴とする面状照明装置（請求項７）。
【発明の効果】
【００２２】
本発明に係る面状照明装置は、以上のように構成したことにより、裸眼３Ｄ表示システムの液晶表示装置用バックライトとして用いたときに、右眼用画像と左面用画像のクロストークを効果的に低減することができる。
【図面の簡単な説明】
【００２３】
【図１】本発明の第１実施形態における面状照明装置の要部を示す分解斜視図である。
【図２】図１のＡ部を拡大して示す斜視図である。
【図３】本発明の実施例において、クロストークの測定態様を示す図である。
【図４】本発明に係る面状照明装置の一実施例において、光学部材の反射率とクロストークの関係を示す表である。
【図５】本発明に係る面状照明装置の一実施例において、入光面の開口幅とクロストークの関係を比較例とともに示すグラフである。
【図６】（ａ）は、従来の裸眼３D表示システムの一例を示す側面図、（ｂ）は、（ａ）の裸眼３Ｄ表示システムに使用される導光板を示す斜視図である。
【発明を実施するための形態】
【００２４】
以下、本発明の実施の形態を添付図面に基づいて説明する。尚、面状照明装置の全体または部分を示す各図は、いずれも説明のために特徴を強調して示す模式図であって、図示された各部分の相対的な寸法は、必ずしも実際の縮尺を反映するものではない。
【００２５】
図１は、本発明の一実施形態における面状照明装置の要部を示す分解斜視図である。
図１に示す面状照明装置１０は、導光板１２と、光源１７、１８とを備えるサイドライト型の面状照明装置である。導光板１２は、その一主面を出射面１９とし、出射面１９に対向する主面（裏面）を反射面２０とする板状の導光体であり、対向する２つの側端面が入光面１３、１５として用いられ、各入光面１３、１５に沿って複数の光源（例えば、発光ダイオード）１７、１８が配置されている。さらに、面状照明装置１０において、導光板１２の出射面１９側には、両面プリズムシート１４が配置され、導光板１２の反射面２０側には、シート状の光学部材１６が配置されている。
【００２６】
導光板１２は、メタクリル樹脂やポリカーボネート樹脂等の透明樹脂材料を成形してなり、入光面１３、１５を通じて導光板１２へと入射した光を、出射面１９と反射面２０との間で全反射を繰返しつつ導光板１２内を伝播させ、その過程で、伝播光を出射面１９から均一に出射させるものである。
【００２７】
面状照明装置１０は、図６を参照して上述したような裸眼３Ｄ表示システムにおける液晶パネルのバックライトとして好適に用いられるものであり、両面プリズムシート１４は、例えば、図６（ａ）に示す両面プリズムフィルム１４０と同様の構成を備えるものである。但し、本発明は、両面プリズムシート１４の構成によって限定されるものではなく、両面プリズムフィルム１４０と同様の機能を果たす限り、任意の適切な構成とすることができる。
尚、導光板１２の反射面２０には、入光面１３、１５を通じて導光板１２に入射して反射面２０に到達した光の一部を反射して出射面１９から出射させ、それぞれ適切な入射角でもって両面プリズムシート１４０に入射させるために、入光面１３、１５と略平行に延びる複数のリニアプリズム（図示は省略する）が設けられている。
【００２８】
そして、面状照明装置１０において、導光板１２の反射面２０側に配置される光学部材１６は光吸収部材を含んでおり、これによって、光学部材１６に入射した光の反射（ひいては、この反射光の導光板１２への入光）を防止するものである。好ましくは、光学部材１６の反射率は、５０％以下であり、さらに好ましくは、３０％以下である。
尚、面状照明装置１０において、光学部材１６に入射する光には、導光板１２の反射面２０から漏れた光、光源１７、１８から導光板１２に入光せずに直接光学部材１６に入射する光、導光板１２から出射した光が両面プリズムシート１４により反射して導光板１２を介して光学部材１６に入射する光、両面プリズムシート１４から出射した光が液晶パネルの裏面で反射して両面プリズムシート１４と導光板１２を介して光学部材１６に入射する光等が含まれる。
【００２９】
例えば、光学部材１６は、その全体が光吸収部材からなり、それによって光学部材１６に入射する光の反射を、ほぼ完全に抑制するものであってもよい。または、光学部材１６は、光の一部を反射し、かつ、一部を透過させる機能を備えた反射率制御部材と、光吸収部材とを積層してなる２層構造を備え、反射率制御部材が反射面２０に対向するように配置されるものであってもよい。この場合、光学部材１６は、反射率制御部材と光吸収部材とを接着剤（もしくは粘着剤）により接着（もしくは粘着）することにより構成され、反射率制御部材と接着層（もしくは粘着層）と光吸収部材の３層構造を備えるものであってもよい。
【００３０】
光学部材１６に用いられる光吸収部材は、例えば、黒色顔料（例えば、カーボンブラック）を分散させた樹脂材料（例えば、ＰＥＴ）を成形してなる黒色フィルムであってもよく、このような黒色フィルムの表面に粗面加工を施したものであってもよい。また、光学部材１６に用いられる反射率制御部材は、屈折率の異なる樹脂材料（例えば、ＰＥＴ）を多数層積層してなる多層膜構造を備えるものであってもよい。あるいは、反射率制御部材は、透明基材フィルム上に金属膜を形成してなるものであってもよい。この場合、反射率制御部材の透過率と反射率は、金属膜の厚さによって制御される。
【００３１】
ここで、従来の面状照明装置では、導光板１２の反射面２０側には高反射性の光学部材が配置されており、それによって、反射面２０からの漏れ光を可能なかぎり導光板１２内に戻し、光の利用効率を向上することが図られている。
これに対して、面状照明装置１０は、光学部材１６が、光学部材１６に入射した光の反射を防止するための光吸収部材を含むことをその主要な特徴とするものであり、これによって、裸眼３Ｄ表示システムにおける液晶パネルのバックライトとして使用された場合に、後述するように、右眼用画像と左目用画像のクロストークを効果的に低減することが可能となる。
【００３２】
さらに、面状照明装置１０では、図２に示すように、導光板１２の入光面１３に、各光源１７に対向する領域２４を除いて、光吸収部材２２が配置されるものであってもよい。この際、領域２４は、光源１７からの出射光を導光板１２に入光させるための光学開口部として機能するものである。
【００３３】
ここで、通常、光源１７の実効的な発光領域の幅は、ランプハウス等を含む全体の外形幅ｗよりも小さいため、面状照明装置１０では、領域２４の開口幅ｄが少なくとも光源１７の外形幅ｗよりも小さくなるように、光吸収部材２２が配置される。また、所望のクロストークを達成するために必要な場合、この開口幅ｄを、さらに、実効的な発光領域の幅よりも小さくするものであってもよい。
【００３４】
面状照明装置１０において、入光面１３に配置される光吸収部材２２は、好ましくは、黒色顔料（例えば、カーボンブラック）が分散された樹脂材料を、印刷等の手段により入光面１３に付着させることによって配置されるものである。また、図示は省略するが、導光板１２の他方の入光面１５にも、光吸収部材２２と同様の光吸収部材が配置される。
【００３５】
また、面状照明装置１０において、各光源１７は、フレキシブルプリント基板２６上に実装されており、フレキシブルプリント基板２６は、導光板１２の出射面１９及び反射面２０に略平行に配置される。そして、フレキシブルプリント基板２６の光源１７の実装位置よりも前方（導光板１２側）の領域には、光吸収部材２８が配置されている。
【００３６】
この光吸収部材２８も、好ましくは、導光板１２の入光面１３、１５に配置される光吸収部材と同様に、黒色顔料（例えば、カーボンブラック）が分散された樹脂材料を、印刷等の手段により入光面１３に付着させることによって配置されるものである。
【００３７】
尚、面状照明装置１０において、フレキシブルプリント基板２６上に光吸収部材２８を配置する態様は、図２に示す態様に限定されるものではない。例えば、光吸収部材２８は、図２に示すように、フレキシブルプリント基板２６の光源１７の実装位置よりも前方の領域に連続的に配置するのではなく、各光源１７の前方の領域のうち、光源１７の外形幅ｗ（または、実効的な発光領域の幅）と同程度の幅を有する領域に、各光源１７毎に配置するものであってもよい。または、光吸収部材２８は、各光源１７の実装位置の側方の領域に配置されるものであってもよい。または、光吸収部材２８は、光源１７の実装位置の後方に配置されるものであってもよく、その際、後方の領域に連続的に配置するものであっても、各光源１７の前方の領域のうち、光源１７の外形幅ｗ（または、実効的な発光領域の幅）と同程度の幅を有する領域に、各光源１７毎に配置されるものであってもよい。あるいは、光吸収部材２８は、フレキシブルプリント基板２６の光源１７の実装位置の前方、側方、及び後方の上述した領域を任意に組み合わせた領域に配置されるものであってもよく、または、フレキシブルプリント基板２６全体に配置されるものであってもよい。
また、図示は省略するが、各光源１８も、同様に光吸収部材が配置されたフレキシブルプリント基板上に実装されるものである。
【００３８】
さらに、面状照明装置１０は、導光板１２を収容するハウジングフレーム（図示は省略する）を備えており、このハウジングフレームは、黒色顔料（例えば、カーボンブラック）を分散させた樹脂材料を成形してなるものであってもよい。あるいは、ハウジングフレームは、導光板１２の側端面と対向する内周面に、光吸収部材が配置されるものであってもよい。ハウジングの内周面に光吸収部材は配置する場合、この光吸収部材は、例えば、黒色顔料（例えば、カーボンブラック）が分散された樹脂材料を、印刷等の手段により入光面１３に付着させることによって配置されるものである。
【００３９】
このように、本実施形態における面状照明装置１０では、光学部材１６が光吸収部材を含むことに加えて、導光板１２の入光面１３、１５、フレキシブルプリント基板２６、ハウジングフレームへの所定の光吸収部材の配置、または、ハウジングフレームの黒色化を行うことによって、後述するように、クロストークをさらに低減することができる。
尚、本発明に係る面状照明装置は、導光板１２の反射面２０側に配置される光学部材１６が光吸収部材を含む限り、導光板１２の入光面１３、１５、フレキシブルプリント基板２６、ハウジングフレームへの所定の光吸収部材の配置、及び、ハウジングフレームの黒色化のそれぞれ手段の使用・不使用及びそれらの組み合わせは、面状照明装置１０及び面状照明装置１０が適用される裸眼３Ｄ表示システムの仕様等に応じて、適切に選択されるものである。
【実施例】
【００４０】
以下、本発明の実施例について説明する。
本実施例において、クロストークは、
クロストーク［％］＝［｛（右側光源点灯時左眼輝度／左側光源点灯時左眼輝度）＋（左側光源点灯時右眼輝度／右側光源点灯時右眼輝度）｝／２］×１００
により定義した。
但し、左側光源点灯時右眼輝度及び左側光源点灯時左眼輝度は、それぞれ、左側画像用光源（例えば、光源１８）が点灯し、右側画像用光源（例えば、光源１７）が消灯している場合の面状照明装置１０における、観察者の右眼方向の輝度及び左眼方向の輝度である。同様に、右側光源点灯時右眼輝度及び右側光源点灯時左眼輝度は、それぞれ、右側画像用光源１７が点灯し、左側画像用光源１８が消灯している場合の面状照明装置１０における、観察者の右眼方向の輝度及び左眼方向の輝度である。
【００４１】
また、それぞれの輝度については、図３に示すように、導光板１２の中央部を通り、入光面１３、１５に略直交する方向に延びる線ｑに対して距離３００mmだけ離れた線ｑｈ上から、導光板１２の中央部を＋６度斜めに臨む地点ＭＲ及び−６度斜めに臨む地点ＭＬを測定地点として、測定地点ＭＲ及びＭＬから導光板１２の中央部を臨む方向に測定した輝度を、それぞれ右眼輝度及び左眼輝度とした。また、測定は、測定装置としてハイドランド社製ＲＩＳＡ−ＣＯＬＯＲを用い、それぞれ左側画像用光源１８及び右側画像用光源１７の点灯から３０秒経過後に、バックライト（導光板１２）中央部の直径１mmのサイズの領域について行った。
測定に用いた距離（３００mm）は、測定に使用した両面プリズムシート１４の構造に応じて決定されたものであり、この距離に応じて測定角度も変化する（ここでは、左眼と右眼との間の距離を６３mmとしている）。
尚、図３には、左側光源点灯時左眼輝度及び左側時光源点灯時右眼輝度が、それぞれ長短の矢印として模式的に示されている。
【００４２】
また、光源１７、１８として、発光ダイオード（日亜化学社製NSSW２０６A：外形幅３．６mm、発光領域の幅２．８mm）が用いられ、導光板１２の入光面１３、１５のそれぞれに、フレキシブルプリント基板上に実装されて直列に接続された９灯の発光ダイオードを配置し、２０ｍＡを通電することにより点灯した。
【００４３】
図４は、導光板の反射面側に配置される光学部材の反射率とクロストークの関係を示す表である。図４において、光学部材の反射率を示す指標として、全反射率（光学部材の表面で反射した全方位の反射率の測定値）が示されている。
全反射率の測定は、日立ハイテクフィールディング社製Ｕ−４０００（φ６０ｍｍ積分球仕様）を使用し、測定範囲３８０−７８０ｎｍを５ｎｍ間隔で全反射率を取得した。そして、ＣＩＥ１９３１の２度等色関数に基づき計算したＹ値を全反射率とした。
クロストークの測定には、ハウジングフレーム及びフレキシブルプリント基板に対して黒色化または光吸収部材の配置等を施さない面状照明装置が用いられた。但し、導光板の入光面には、各発光ダイオードに対向する領域に設けられた開口幅１mmの光学開口部を除いて、黒色印刷による光吸収部材が配置されている。また、図４に示す輝度は、発光ダイオードに電圧印加３０秒後に測定した値をそのまま使用した。
【００４４】
図４に示す各サンプルのうち、サンプルＮｏ．１は、光学部材として高反射部材を用いた比較例であり、図６（ｂ）に示したような、導光板の入光面のみに反射防止手段を施した従来技術に相当する。
【００４５】
図４に示す各サンプルのうち、サンプルＮｏ．２〜Ｎｏ．６が、本発明の実施例である。これらの実施例のうち、サンプルＮｏ．２〜Ｎｏ．４の光学部材は、反射率制御部材と黒色フィルム（表面粗面加工有り）からなる光吸収部材とを積層して構成されたものである。
また、サンプルＮｏ．５及びＮｏ．６の光学部材は、それぞれ、黒色フィルム（表面粗面加工なし）及び黒色フィルム（表面粗面加工有り）からなる光吸収部材のみで構成されたものである。
【００４６】
図４から、クロストークは、光学部材の反射率が下がる程低減しており、本発明の実施例（サンプルＮｏ．２〜Ｎｏ．６）と比較例（サンプルＮｏ．１）のクロストークを比較することにより、本発明が、従来技術から、さらにクロストーク特性を改善することに対して有効であることが確認された。
例えば、実用上許容されるクロストークの上限が５％程度の場合、本発明において、光学部材の全反射率を５０％以下、好ましくは、３０％以下とすることによって、クロストークをこの許容上限内に留めた面状照明装置を構成することができる。
【００４７】
さらに、本発明は、従来技術と比較して、クロストーク特性をより効果的に改善するものであり、図５を参照して、その点について説明する。ここで、図５は、図４におけるサンプルＮｏ．１の比較例及びサンプルＮｏ．６の実施例と同一の構成のサンプルを用いて、導光板の入光面に、光学開口部の開口幅がそれぞれ１．４ｍｍ、１．２ｍｍ、１．０ｍｍ、０．８ｍｍ、０．６ｍｍとなるように（黒色印刷により）光吸収部材を配置した場合の、輝度とクロストークの測定値をプロットしたグラフである。図５において、比較例のデータは黒丸で示されており、実施例のデータは黒三角で示されている。
【００４８】
図５から、本発明の実施例においても、比較例と同様に、導光板の入光面の光学開口部の開口幅を狭くする程（言い換えれば、入光面に配置される光吸収部材の面積を広げる程）、クロストークが低減することが分かり、本発明においても、導光板の入光面に光吸収部材を配置することが、クロストークを低減する上で有効であることが確認された。
【００４９】
さらに、図５に示す実施例では、例えば、光学開口部の開口幅が１．４ｍｍの条件で、約１００００ｃｄ／ｍ２の輝度を維持しつつ、約６％（実際の測定値では、５．８％）のクロストークを達成している。これに対して、図５に示す比較例において、同程度のクロストーク（実際の測定値では、６．１％）を達成するには、光学開口部の開口幅を０．６ｍｍにまで狭める必要があり、そのときの輝度は、約８５００ｃｄ／ｍ２にまで低減する。
この結果は、本発明に係る光吸収部材を含む光学部材が、光源から出射されて導光板に入光する光のうち、クロストークの要因となる光を、導光板の入光面に配置される光吸収部材よりも高い効率で選択的に除去していることを示すものである。
【００５０】
言い換えれば、図５に示す結果から、本発明では、光吸収部材を含む光学部材を導光板の反射面側に配置することにより、従来技術のように導光板の入光面に施した反射防止手段のみを備える場合と比較して、比較的高い輝度を維持したまま、十分なレベルにまでクロストークを低減することが可能となり、この点において、クロストークを効果的に低減するものであることが分かる。
【００５１】
また、同様の測定により、図４に示すサンプルＮｏ．１と同一の構成を備えたサンプル（クロストーク７．３％）について、黒色樹脂を用いて成形されたハウジングフレームを用いることにより、クロストークが７．０％に低減し、また、光源の実装位置の前方に黒色印刷が施されたフレキシブルプリント基板を用いることにより、クロストークが７．２％に低減することも確認された。
【符号の説明】
【００５２】
１２：導光板、１３，１５：入光面、１４：両面プリズムシート、１６：光学部材、１７，１８：光源、１９：出射面、２０：反射面
【図１】
2012221789.tif 000003
【図２】
2012221789.tif 000004
【図３】
2012221789.tif 000005
【図４】
2012221789.tif 000006
【図５】
2012221789.tif 000007
【図６】
2012221789.tif 000008